【手続補正書】
【提出日】平成18年2月3日(2006.2.3)
【手続補正１】
【補正対象書類名】明細書
【補正対象項目名】特許請求の範囲
【補正方法】変更
【補正の内容】
【特許請求の範囲】
【請求項１】  通信手段を介して管理装置と接続可能な画像形成装置において、
画像形成が行われるべき記録紙を搬送路に沿って搬送するための搬送部材と、
前記搬送部材を駆動する駆動手段と、
前記搬送路の所定位置に設けられ、前記搬送部材によって搬送されてきた記録紙を検出する検出手段と、
前記検出手段による記録紙の検出タイミングに応じて、前記記録紙の搬送速度を一定にするべく前記駆動手段の駆動速度を補正する補正手段と、
前記補正手段による駆動速度の補正の度合いに応じて、前記画像形成装置の状態を表す情報を前記管理装置に通知する通知手段と
を有することを特徴とする画像形成装置。
【請求項２】  通信手段を介して管理装置と接続可能な画像形成装置において、
画像形成が行われるべき記録紙を搬送路に沿って搬送するための搬送部材と、
前記搬送部材を駆動する駆動手段と、
前記搬送路の所定位置に設けられ、前記搬送部材によって搬送されてきた記録紙を検出する検出手段と、
前記検出手段による記録紙の検出タイミングに応じて、前記記録紙の搬送速度を一定にするべく前記駆動手段の駆動速度を補正する補正手段と、
前記補正手段による駆動速度の補正に関する情報を前記管理装置に通知する通知手段と
を有することを特徴とする画像形成装置。
【請求項３】  前記補正手段による駆動速度の補正の度合いに応じて前記搬送部材の劣化度合いを判定する判定手段を更に有し、
前記通知手段は、前記判定手段による判定結果を前記管理装置に通知することを特徴とする請求項１または請求項２に記載の画像形成装置。
【請求項４】  前記搬送部材は搬送ローラを含み、前記判定手段は前記搬送ローラの劣化度合いを判定することを特徴とする請求項３に記載の画像形成装置。
【請求項５】  通信手段を介して管理装置と接続可能な画像形成装置において、
画像形成が行われるべき記録紙を搬送路に沿って搬送するための搬送部材と、
前記搬送部材を駆動する駆動手段と、
前記搬送路の所定位置に設けられ、前記搬送部材によって搬送されてきた記録紙を検出する検出手段と、
前記検出手段による記録紙の基準となる検出タイミングを記憶する記憶手段と、
前記検出手段によって検出された検出タイミングと、前記記憶手段に記憶された基準検出タイミングとの差が所定値を超えたときに、前記搬送部材の劣化を前記管理装置に通知する通知手段と
を有することを特徴とする画像形成装置。
【請求項６】  前記検出手段によって検出された検出タイミングと、前記記憶手段に記憶された基準検出タイミングとの比の値を用いて前記駆動手段の駆動速度を補正する補正手段を、更に有することを特徴とする請求項５に記載の画像形成装置。
【請求項７】  少なくとも１つの画像形成装置と、ネットワークを介して前記少なくとも１つの画像形成装置に接続されたデバイス管理用サーバとから成る遠隔管理システムにおいて、前記画像形成装置が、
画像形成が行われるべき記録紙を搬送路に沿って搬送するための搬送部材と、
前記搬送部材を駆動する駆動手段と、
前記搬送路の所定位置に設けられ、前記搬送部材によって搬送されてきた記録紙を検出する検出手段と、
前記検出手段による記録紙の検出タイミングに応じて、前記記録紙の搬送速度を一定にするべく前記駆動手段の駆動速度を補正する補正手段と、
前記補正手段による駆動速度の補正の度合いに応じて、前記画像形成装置の状態を表す情報を前記デバイス管理用サーバに通知する通知手段と
を有することを特徴とする遠隔管理システム。
【請求項８】  少なくとも１つの画像形成装置と、ネットワークを介して前記少なくとも１つの画像形成装置に接続されたデバイス管理用サーバとから成る遠隔管理システムにおいて、前記画像形成装置が、
画像形成が行われるべき記録紙を搬送路に沿って搬送するための搬送部材と、
前記搬送部材を駆動する駆動手段と、
前記搬送路の所定位置に設けられ、前記搬送部材によって搬送されてきた記録紙を検出する検出手段と、
前記検出手段による記録紙の検出タイミングに応じて、前記記録紙の搬送速度を一定にするべく前記駆動手段の駆動速度を補正する補正手段と、
前記補正手段による駆動速度の補正に関する情報を前記デバイス管理用サーバに通知する通知手段と
を有することを特徴とする遠隔管理システム。
【請求項９】  少なくとも１つの画像形成装置と、ネットワークを介して前記少なくとも１つの画像形成装置に接続されたデバイス管理用サーバとから成る遠隔管理システムにおいて、前記画像形成装置が、
画像形成が行われるべき記録紙を搬送路に沿って搬送するための搬送部材と、
前記搬送部材を駆動する駆動手段と、
前記搬送路の所定位置に設けられ、前記搬送部材によって搬送されてきた記録紙を検出する検出手段と、
前記検出手段による記録紙の基準となる検出タイミングを記憶する記憶手段と、
前記検出手段によって検出された検出タイミングと、前記記憶手段に記憶された基準検出タイミングとの差が所定値を超えたときに、前記搬送部材の劣化を前記デバイス管理用サーバに通知する通知手段と
を有することを特徴とする遠隔管理システム。
【請求項１０】  ネットワーク毎にデバイス管理用サーバを含む複数のネットワークと、ネットワーク毎のデバイス管理用サーバから各デバイス管理用サーバに通知され蓄積された情報を収集するホスト装置とを、更に含むことを特徴とする請求項７乃至請求項９のいずれかに記載の遠隔管理システム。
【請求項１１】  画像形成が行われるべき記録紙を搬送路に沿って搬送するための搬送部材と、前記搬送部材を駆動する駆動手段と、前記搬送路の所定位置に設けられ、前記搬送部材によって搬送されてきた記録紙を検出する検出手段とを備えた画像形成装置に適用される状態通知方法において、
前記検出手段による記録紙の検出タイミングに応じて、前記記録紙の搬送速度を一定にするべく前記駆動手段の駆動速度を補正する補正ステップと、
前記補正ステップによる駆動速度の補正の度合いに応じて、前記画像形成装置の状態を表す情報を、ネットワークを介して管理装置に通知する通知ステップと
を有することを特徴とする状態通知方法。
【請求項１２】  画像形成が行われるべき記録紙を搬送路に沿って搬送するための搬送部材と、前記搬送部材を駆動する駆動手段と、前記搬送路の所定位置に設けられ、前記搬送部材によって搬送されてきた記録紙を検出する検出手段とを備えた画像形成装置に適用される状態通知方法において、
前記検出手段による記録紙の検出タイミングに応じて、前記記録紙の搬送速度を一定にするべく前記駆動手段の駆動速度を補正する補正ステップと、
前記補正ステップによる駆動速度の補正に関する情報を、ネットワークを介して管理装置に通知する通知ステップと
を有することを特徴とする状態通知方法。
【請求項１３】  画像形成が行われるべき記録紙を搬送路に沿って搬送するための搬送部材と、前記搬送部材を駆動する駆動手段と、前記搬送路の所定位置に設けられ、前記搬送部材によって搬送されてきた記録紙を検出する検出手段と、前記検出手段による記録紙の基準となる検出タイミングを記憶する記憶手段とを備えた画像形成装置に適用される状態通知方法において、
前記検出手段によって検出された検出タイミングと、前記記憶手段に記憶された基準検出タイミングとの差が所定値を超えたときに、前記搬送部材の劣化を前記管理装置に通知する通知ステップ
を有することを特徴とする状態通知方法。
【手続補正２】
【補正対象書類名】明細書
【補正対象項目名】０００１
【補正方法】変更
【補正の内容】
【０００１】
【発明の属する技術分野】
本発明は、画像形成装置、遠隔管理システム、および状態通知方法に関し、特に、通信手段を介して管理装置と接続可能な画像形成装置、該画像形成装置が複数、通信手段によって接続され、管理装置とともに構成される遠隔管理システム、前記画像形成装置に適用される状態通知方法に関する。
【手続補正３】
【補正対象書類名】明細書
【補正対象項目名】０００２
【補正方法】削除
【補正の内容】
【手続補正４】
【補正対象書類名】明細書
【補正対象項目名】０００７
【補正方法】変更
【補正の内容】
【０００７】
本発明はこのような問題点に鑑みてなされたものであって、給紙・搬送ローラの消耗による搬送効率の低下が発生し始めても、画像形成装置の性能を低下させず、ユーザに不快感を与えなくするとともに、消耗の度合いを装置管理者に的確に伝達することにより、保守の回数を最適化して、保守に要する費用を低減させることを図った画像形成装置、遠隔管理システム、および状態通知方法を提供することを目的とする。
【手続補正５】
【補正対象書類名】明細書
【補正対象項目名】０００８
【補正方法】変更
【補正の内容】
【０００８】
【課題を解決するための手段】
上記目的を達成するために、請求項１記載の発明によれば、通信手段を介して管理装置と接続可能な画像形成装置において、画像形成が行われるべき記録紙を搬送路に沿って搬送するための搬送部材と、前記搬送部材を駆動する駆動手段と、前記搬送路の所定位置に設けられ、前記搬送部材によって搬送されてきた記録紙を検出する検出手段と、前記検出手段による記録紙の検出タイミングに応じて、前記記録紙の搬送速度を一定にするべく前記駆動手段の駆動速度を補正する補正手段と、前記補正手段による駆動速度の補正の度合いに応じて、前記画像形成装置の状態を示す情報を前記管理装置に通知する通知手段とを有することを特徴とする画像形成装置が提供される。
また、請求項２記載の発明によれば、通信手段を介して管理装置と接続可能な画像形成装置において、画像形成が行われるべき記録紙を搬送路に沿って搬送するための搬送部材と、前記搬送部材を駆動する駆動手段と、前記搬送路の所定位置に設けられ、前記搬送部材によって搬送されてきた記録紙を検出する検出手段と、前記検出手段による記録紙の検出タイミングに応じて、前記記録紙の搬送速度を一定にするべく前記駆動手段の駆動速度を補正する補正手段と、前記補正手段による駆動速度の補正に関する情報を前記管理装置に通知する通知手段とを有することを特徴とする画像形成装置が提供される。
また、請求項５記載の発明によれば、通信手段を介して管理装置と接続可能な画像形成装置において、画像形成が行われるべき記録紙を搬送路に沿って搬送するための搬送部材と、前記搬送部材を駆動する駆動手段と、前記搬送路の所定位置に設けられ、前記搬送部材によって搬送されてきた記録紙を検出する検出手段と、前記検出手段による記録紙の基準となる検出タイミングを記憶する記憶手段と、前記検出手段によって検出された検出タイミングと、前記記憶手段に記憶された基準検出タイミングとの差が所定値を超えたときに、前記搬送部材の劣化を前記管理装置に通知する通知手段とを有することを特徴とする画像形成装置が提供される。
また、請求項７記載の発明によれば、少なくとも１つの画像形成装置と、ネットワークを介して前記少なくとも１つの画像形成装置に接続されたデバイス管理用サーバとから成る遠隔管理システムにおいて、前記画像形成装置が、画像形成が行われるべき記録紙を搬送路に沿って搬送するための搬送部材と、前記搬送部材を駆動する駆動手段と、前記搬送路の所定位置に設けられ、前記搬送部材によって搬送されてきた記録紙を検出する検出手段と、前記検出手段による記録紙の検出タイミングに応じて、前記記録紙の搬送速度を一定にするべく前記駆動手段の駆動速度を補正する補正手段と、前記補正手段による駆動速度の補正の度合いに応じて、前記画像形成装置の状態を表す情報を前記デバイス管理用サーバに通知する通知手段とを有することを特徴とする遠隔管理システムが提供される。
また、請求項８記載の発明によれば、少なくとも１つの画像形成装置と、ネットワークを介して前記少なくとも１つの画像形成装置に接続されたデバイス管理用サーバとから成る遠隔管理システムにおいて、前記画像形成装置が、画像形成が行われるべき記録紙を搬送路に沿って搬送するための搬送部材と、前記搬送部材を駆動する駆動手段と、前記搬送路の所定位置に設けられ、前記搬送部材によって搬送されてきた記録紙を検出する検出手段と、前記検出手段による記録紙の検出タイミングに応じて、前記記録紙の搬送速度を一定にするべく前記駆動手段の駆動速度を補正する補正手段と、前記補正手段による駆動速度の補正に関する情報を前記デバイス管理用サーバに通知する通知手段とを有することを特徴とする遠隔管理システムが提供される。
また、請求項９記載の発明によれば、少なくとも１つの画像形成装置と、ネットワークを介して前記少なくとも１つの画像形成装置に接続されたデバイス管理用サーバとから成る遠隔管理システムにおいて、前記画像形成装置が、画像形成が行われるべき記録紙を搬送路に沿って搬送するための搬送部材と、前記搬送部材を駆動する駆動手段と、前記搬送路の所定位置に設けられ、前記搬送部材によって搬送されてきた記録紙を検出する検出手段と、前記検出手段による記録紙の基準となる検出タイミングを記憶する記憶手段と、前記検出手段によって検出された検出タイミングと、前記記憶手段に記憶された基準検出タイミングとの差が所定値を超えたときに、前記搬送部材の劣化を前記デバイス管理用サーバに通知する通知手段とを有することを特徴とする遠隔管理システムが提供される。
また、請求項１１記載の発明によれば、画像形成が行われるべき記録紙を搬送路に沿って搬送するための搬送部材と、前記搬送部材を駆動する駆動手段と、前記搬送路の所定位置に設けられ、前記搬送部材によって搬送されてきた記録紙を検出する検出手段とを備えた画像形成装置に適用される状態通知方法において、前記検出手段による記録紙の検出タイミングに応じて、前記記録紙の搬送速度を一定にするべく前記駆動手段の駆動速度を補正する補正ステップと、前記補正ステップによる駆動速度の補正の度合いに応じて、前記画像形成装置の状態を表す情報を、ネットワークを介して管理装置に通知する通知ステップとを有することを特徴とする状態通知方法が提供される。
また、請求項１２記載の発明によれば、画像形成が行われるべき記録紙を搬送路に沿って搬送するための搬送部材と、前記搬送部材を駆動する駆動手段と、前記搬送路の所定位置に設けられ、前記搬送部材によって搬送されてきた記録紙を検出する検出手段とを備えた画像形成装置に適用される状態通知方法において、前記検出手段による記録紙の検出タイミングに応じて、前記記録紙の搬送速度を一定にするべく前記駆動手段の駆動速度を補正する補正ステップと、前記補正ステップによる駆動速度の補正に関する情報を、ネットワークを介して管理装置に通知する通知ステップとを有することを特徴とする状態通知方法が提供される。
また、請求項１３記載の発明によれば、画像形成が行われるべき記録紙を搬送路に沿って搬送するための搬送部材と、前記搬送部材を駆動する駆動手段と、前記搬送路の所定位置に設けられ、前記搬送部材によって搬送されてきた記録紙を検出する検出手段と、前記検出手段による記録紙の基準となる検出タイミングを記憶する記憶手段とを備えた画像形成装置に適用される状態通知方法において、前記検出手段によって検出された検出タイミングと、前記記憶手段に記憶された基準検出タイミングとの差が所定値を超えたときに、前記搬送部材の劣化を前記管理装置に通知する通知ステップを有することを特徴とする状態通知方法が提供される。
【手続補正６】
【補正対象書類名】明細書
【補正対象項目名】０１０５
【補正方法】削除
【補正の内容】
【手続補正７】
【補正対象書類名】明細書
【補正対象項目名】０１０６
【補正方法】削除
【補正の内容】
【手続補正８】
【補正対象書類名】明細書
【補正対象項目名】０１０７
【補正方法】削除
【補正の内容】
【手続補正９】
【補正対象書類名】明細書
【補正対象項目名】０１０８
【補正方法】削除
【補正の内容】
【手続補正１０】
【補正対象書類名】明細書
【補正対象項目名】０１０９
【補正方法】削除
【補正の内容】
【手続補正１１】
【補正対象書類名】明細書
【補正対象項目名】０１１０
【補正方法】削除
【補正の内容】
【手続補正１２】
【補正対象書類名】明細書
【補正対象項目名】０１１１
【補正方法】削除
【補正の内容】
【手続補正１３】
【補正対象書類名】明細書
【補正対象項目名】０１１２
【補正方法】削除
【補正の内容】
【手続補正１４】
【補正対象書類名】明細書
【補正対象項目名】０１１３
【補正方法】削除
【補正の内容】
【手続補正１５】
【補正対象書類名】明細書
【補正対象項目名】０１１４
【補正方法】削除
【補正の内容】
【手続補正１６】
【補正対象書類名】明細書
【補正対象項目名】０１１５
【補正方法】削除
【補正の内容】
【手続補正１７】
【補正対象書類名】明細書
【補正対象項目名】０１１６
【補正方法】削除
【補正の内容】
【手続補正１８】
【補正対象書類名】明細書
【補正対象項目名】０１１７
【補正方法】削除
【補正の内容】
【手続補正１９】
【補正対象書類名】明細書
【補正対象項目名】０１１８
【補正方法】削除
【補正の内容】
【手続補正２０】
【補正対象書類名】明細書
【補正対象項目名】０１１９
【補正方法】削除
【補正の内容】
【手続補正２１】
【補正対象書類名】明細書
【補正対象項目名】０１２０
【補正方法】削除
【補正の内容】
【手続補正２２】
【補正対象書類名】明細書
【補正対象項目名】０１２１
【補正方法】削除
【補正の内容】
【手続補正２３】
【補正対象書類名】明細書
【補正対象項目名】０１２２
【補正方法】削除
【補正の内容】
【手続補正２４】
【補正対象書類名】明細書
【補正対象項目名】０１２３
【補正方法】削除
【補正の内容】
【手続補正２５】
【補正対象書類名】明細書
【補正対象項目名】０１２４
【補正方法】削除
【補正の内容】
【手続補正２６】
【補正対象書類名】明細書
【補正対象項目名】０１２５
【補正方法】変更
【補正の内容】
【０１２５】
【発明の効果】
以上詳述したように本発明によれば、画像形成が行われるべき記録紙を搬送路に沿って搬送するための搬送部材と、前記搬送部材を駆動する駆動手段と、前記搬送路の所定位置に設けられ、前記搬送部材によって搬送されてきた記録紙を検出する検出手段とを備え、補正手段が、前記検出手段による記録紙の検出タイミングに応じて、前記記録紙の搬送速度を一定にするべく前記駆動手段の駆動速度を補正するとともに、通知手段が、前記補正手段による駆動速度の補正の度合いに応じて、前記画像形成装置の状態を表す情報を管理装置に通知する。
【手続補正２７】
【補正対象書類名】明細書
【補正対象項目名】０１２６
【補正方法】変更
【補正の内容】
【０１２６】
このように、補正手段が、検出手段による記録紙の検出タイミングに応じて駆動手段の駆動速度を補正して、記録紙の搬送速度を一定にするように制御するので、給紙・搬送ローラの消耗による搬送効率の低下が発生し始めても、画像形成装置の性能を低下させず、ユーザに不快感を与えなくすることができる。また、通知手段が、補正手段による駆動速度の補正の度合いに応じて、画像形成装置の状態を表す情報を管理装置に通知するので、部品の消耗の度合いを装置管理者に的確に伝達することができ、これによって、最適なタイミングでサービスマンの出動を要請でき、保守の回数を最適化して、保守に要する費用を低減することが可能となる。
【手続補正２８】
【補正対象書類名】明細書
【補正対象項目名】０１２７
【補正方法】変更
【補正の内容】
【０１２７】
また、本発明によれば、通知手段が、補正手段による駆動速度の補正の度合いに応じて、画像形成装置の状態を表す情報を管理装置に通知するので、画像形成装置の各部品の消耗状況を適確に管理装置に通知することができる。
【手続補正２９】
【補正対象書類名】明細書
【補正対象項目名】符号の説明
【補正方法】変更
【補正の内容】
【符号の説明】
１００  画像形成装置
１１０  リーダ部
１２０  リーダコントローラ（Ｒコン）
１２３  ステッピングモータ
１２４  ＣＰＵ
１２５  パルス発生器
１２６  初期画処理器
１２７  発振器
１２８  モータドライバ
１３０  ローカルデータバス
１４０  原稿給送装置
１５０  プリンタ部
１６３  センサ（検出手段）
１６４〜１６７  ローラ（搬送手段）
Ｍ１６４〜Ｍ１６７  ステッピングモータ（駆動手段）
２０１  コントローラ（通知手段）
２０２  プリンタコントローラ（Ｐコン、補正手段）
２０３  低圧電源ユニット（ＬＶＴ）
２０７  画像データバス
２０８  制御データバス
３００  画像転送バス
３０１  データバス
３０２  制御電源ライン
３０３  パワー電源ライン
３０４  外部インタフェース
７０１  ＣＰＵ
７０２  ＲＯＭ
７０３  ＲＡＭ
７０５  ビデオ入力インタフェース部
７０６  ビデオ出力インタフェース部
７０７  ファックス部
７０９  圧縮／伸長部
７１０  ＰＣＩ／Ｆ部
７１３  シリアル通信コミュニケーションインタフェース
７２０  画像処理部
８０１  ＣＰＵ
８０２  ＲＯＭ
８０３  ＲＡＭ
８０４  Ｉ／Ｏ
８０５  ドライバ
８０６  各種センサ
８０７  各種負荷
８０８  定着温度センサ
８０９  シリアル通信コミュニケーションインタフェース
８１０  画像処理部
Ａ−０００ ローカルエリアネットワーク（ＬＡＮ、通信手段）
Ａ−０１０ デバイス管理用サーバ（管理装置）
Ａ−０１１ パーソナルコンピュータ
Ａ−０２０ ホスト装置（管理装置）
Ａ−０３０ ネットワークボード（ＮＥＢ）
Ａ−０３１ 多機能プリンタ（ＭＰＦ、画像形成装置）
Ａ−０３２ 多機能プリンタ（ＭＰＦ、画像形成装置）
Ａ−０３４ 多機能プリンタ（ＭＰＦ、画像形成装置）
Ａ−３０１ ＣＰＵ
Ａ−３０２ ＲＡＭ
Ａ−３０３ ハードディスク（データベース）
Ａ−３０５ ディスプレイ
Ａ−３０６ シリアルインタフェース
Ａ−３０７ インタフェース
Ａ−８０１ ＣＰＵ
Ａ−８０２ ＲＡＭ
Ａ−８０３ ハードディスク
Ａ−８０４ キーボード
Ａ−８０５ ディスプレイ
Ａ−８０６ シリアルポート
Ａ−８０７ ネットワークボード
Ａ−８０８ メールサーバ